【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
第１のトランシーバと第２のトランシーバを有するデータ通信システムにおけるデータ転送遅延補償システムであって、
前記第１のトランシーバから前記第２のトランシーバへサイクル基準及びサイクル遅延信号を伝送するための手段であって、前記第１及び第２のトランシーバの外部にある装置から外部サイクル基準を受信するように接続された手段と、
前記第２のトランシーバで前記サイクル基準を受信した後、前記サイクル遅延信号の値に応じて異なる所定時間後に、前記第２のトランシーバから前記第１のトランシーバへ前記サイクル基準を伝送するための手段と、
前記第１のトランシーバに接続され、前記第１のトランシーバで受信した前記サイクル基準と前記外部サイクル基準との位相差を測定して前記サイクル遅延信号の値を更新する手段と、
からなるデータ転送遅延補償システム。
【請求項２】
第１のトランシーバと第２のトランシーバを有するデータ通信システムにおけるデータ転送遅延補償システムであって、
前記第１のトランシーバから前記第２のトランシーバへサイクル基準及びサイクル遅延信号を伝送するための手段であって、該サイクル遅延が物理媒体を介した伝送によって生じる待ち時間に基づくものである、手段と、
前記第２のトランシーバで前記サイクル基準を受信した後、前記サイクル遅延信号の値に応じて異なる所定時間後に、前記第２のトランシーバから前記第１のトランシーバへ前記サイクル基準を伝送するための手段と、
前記第１のトランシーバに接続され、前記第１のトランシーバで受信した前記サイクル基準と前記外部サイクル基準との位相差を測定して前記サイクル遅延信号の値を更新する手段と、
からなるデータ転送遅延補償システム。
【請求項３】
第１のトランシーバと第２のトランシーバを有するデータ通信システムにおけるデータ転送遅延補償システムであって、
前記第１のトランシーバから前記第２のトランシーバへＮＲＺＩ(Non Retur-to-Zero Inverted）方式の電圧変化を用いてサイクル基準及びサイクル遅延信号を伝送するための手段と、
前記第２のトランシーバで前記サイクル基準を受信した後、前記サイクル遅延信号の値に応じて異なる所定時間後に、前記第２のトランシーバから前記第１のトランシーバへ前記サイクル基準信号を伝送するための手段と、
前記第１のトランシーバに接続され、前記第１のトランシーバで受信した前記サイクル基準と外部サイクル基準との位相差を測定して前記サイクル遅延信号の値を更新する手段と、
からなるデータ転送遅延補償システム。
【請求項４】
少なくとも４本の電気的に導電性の線で互いに接続された第１のトランシーバと第２のトランシーバとを有するデータ通信システムにおけるデータ転送遅延補償システムであって、
前記第１のトランシーバから前記第２のトランシーバへサイクル基準及びサイクル遅延信号を伝送するための手段であって、該サイクル遅延が前記電気的に導電性の線を介した伝送により生じる待ち時間に基づくものである、手段と、
前記第２のトランシーバで前記サイクル基準を受信した後、前記サイクル遅延信号の値に応じて異なる所定時間後に、前記第２のトランシーバから前記第１のトランシーバへ前記サイクル基準を伝送するための手段と、
前記第１のトランシーバに接続され、前記第１のトランシーバで受信した前記サイクル基準と外部サイクル基準との位相差を測定して前記サイクル遅延信号の値を更新する手段と、
からなるデータ転送遅延補償システム。
【請求項５】
複数のノード間でデータを交換するように接続された複数のハブを有する通信システムにおけるデータ転送遅延補償システムであって、
前記複数のハブのうちの１つにおけるハブ送信機であって、外部サイクル基準を受信するように接続され、サイクル基準及びサイクル遅延信号を少なくとも１つの前記ノードに伝送する、ハブ送信機と、
前記ハブ送信機に接続され、前記サイクル基準及び前記サイクル遅延信号を受信するノード受信機であって、サイクルの到着を整列させるためのＦＩＦＯを含むノード受信機と、
前記ノード受信機に接続され、前記ノード受信機から前記サイクル遅延信号を受信する、ノード制御回路と、
前記ノード受信機から前記サイクル基準を受信するように接続された入力部と、前記サイクル基準を遅延させるための出力部とを備えた、ノード遅延回路と、
前記ノード制御回路に接続された入力部と、前記遅延回路の入力部における前記サイクル基準の受信と前記遅延回路からの前記サイクル基準の出力との間の遅延時間を制御するため前記ノード遅延回路に接続された出力部とを備えた、オフセット回路と、
前記ノード遅延回路の出力部から前記サイクル基準を受信するように接続され、前記サイクル基準を前記１つのハブのハブ受信機に伝送する、ノード送信機と、
前記ハブ受信機に接続され、前記ハブ受信機から前記サイクル基準を受信するとともに、前記外部サイクル基準に接続され、前記外部サイクル基準と前記ハブ受信機からのサイクル基準出力との間の時間差を比較してオフセット値を出力する、遅延測定回路と、
前記オフセット値を受信するように接続され、前記サイクル遅延信号を前記ハブ送信機に出力する、ハブ制御回路と、
からなるデータ転送遅延補償システム。
【請求項６】
電気的に導電性のシステムケーブルを介して複数のノード間でデータを交換するように接続されたハブを有する通信システムにおけるデータ転送遅延補償システムであって、
外部サイクル基準を受信するように接続され、サイクル基準及びサイクル遅延信号を少なくとも１つの前記ノードに伝送する、ハブ送信機と、
前記ハブ送信機に接続され、前記サイクル基準及び前記サイクル遅延信号を受信する、ノード受信機と、
前記ノード受信機に接続され、前記ノード受信機から前記サイクル遅延信号を受信する、ノード制御回路と、
前記ノード受信機から前記サイクル基準を受信するように接続された入力部と、前記サイクル基準を遅延させ、前記電気的に導電性のシステムケーブルによって生じるサイクルの不整合を補償するための出力部とを備えた、ノード遅延回路と、
前記ノード制御回路に接続された入力部と、前記遅延回路の入力部における前記サイクル基準の受信と前記遅延回路からの前記サイクル基準の出力との間の遅延時間を制御するため前記ノード遅延回路に接続された出力部とを備えた、オフセット回路と、
前記ノード遅延回路の出力部から前記サイクル基準を受信するように接続され、前記サイクル基準をハブ受信機に伝送するための、ノード送信機と、
前記ハブ受信機に接続され、前記ハブ受信機から前記サイクル基準を受信するとともに、前記外部サイクル基準に接続され、前記外部サイクル基準と前記ハブ受信機からのサイクル基準出力との間の時間差を比較してオフセット値を出力する、遅延測定回路と、
前記オフセット値を受信するように接続され、前記サイクル基準信号を前記ハブ送信機に出力する、ハブ制御回路と、
からなるデータ転送遅延補償システム。
【請求項７】
複数のノード間でＮＲＺＩ通信方式によりデータを交換するように接続されたハブを有する通信システムにおけるデータ転送遅延補償システムであって、
外部サイクル基準を受信するように接続され、ＮＲＺＩプロトコルを用いてサイクル基準及びサイクル遅延信号を少なくとも１つのノードに伝送する、ハブ送信機と、
前記ハブ送信機に接続され、前記サイクル基準及び前記サイクル遅延信号を受信する、ノード受信機と、
前記ノード受信機に接続され、前記ノード受信機から前記サイクル遅延信号を受信する、ノード制御回路と、
前記ノード受信機から前記サイクル基準を受信するように接続された入力部と、前記サイクル基準を遅延させ、物理媒体を介した伝送によって生じる待ち時間を補償するための出力部とを備えた、ノード遅延回路と、
前記ノード制御回路に接続された入力部と、前記遅延回路の入力部における前記サイクル基準の受信と前記遅延回路からの前記サイクル基準の出力との間の遅延時間を制御するため前記ノード遅延回路に接続された出力部とを備えた、オフセット回路と、
前記ノード遅延回路の出力部から前記サイクル基準を受信するように接続され、前記サイクル基準をハブ受信機に伝送する、ノード送信機と、
前記ハブ受信機に接続され、前記ハブ受信機から前記サイクル基準を受信するとともに、前記外部サイクル基準に接続され、前記外部サイクル基準と前記ハブ受信機からのサイクル基準出力との間の時間差を比較してオフセット値を出力する、遅延測定回路と、
前記オフセット値を受信するように接続され、前記サイクル遅延信号を前記ハブ送信機へ出力する、ハブ制御回路と、
からなるデータ転送遅延補償システム。
【請求項８】
前記オフセット回路がラッチを含む、請求項５〜７のうちいずれか一項に記載のデータ転送遅延補償システム。
【請求項９】
前記オフセット回路がカウンタを含む、請求項５〜７のうちいずれか一項に記載のデータ転送遅延補償システム。
【請求項１０】
前記ノード制御回路が状態マシンを含む、請求項５〜７のうちいずれか一項に記載のデータ転送遅延補償システム。
【請求項１１】
前記ハブ制御回路が状態マシンを含む、請求項５〜７のうちいずれか一項に記載のデータ転送遅延補償システム。
【請求項１２】
第１のデータトランシーバと第２のトランシーバの間におけるデータ伝送間のスキューを減少させる方法であって、
前記第１のトランシーバから前記第２のトランシーバへサイクル基準及びサイクル遅延信号を伝送するステップであって、該サイクル遅延信号が電気的に導電性のシステムケーブルによって生じるサイクル不整合に基づくものである、ステップと、
前記サイクル遅延を前記第２のトランシーバの受信機から前記第２のトランシーバの遅延回路へ伝送するステップと、
前記遅延回路から前記第２のトランシーバの送信機への前記サイクル基準の伝送を、前記サイクル遅延信号の値に応じた所定量の時間だけ遅延させるステップと、
からなる方法。
【請求項１３】
第１のデータトランシーバと第２のトランシーバの間におけるデータ伝送間のスキューを減少させる方法であって、
前記第１のトランシーバから前記第２のトランシーバへサイクル基準及びサイクル遅延信号を伝送するステップであって、該サイクル遅延信号がＮＲＺＩ方式を用いて伝送されるステップと、
前記サイクル基準を前記第２のトランシーバの受信機から前記第２のトランシーバの遅延回路へ伝送送するステップと、
前記遅延回路から前記第２のトランシーバの送信機への前記サイクル基準の伝送を、前記サイクル遅延信号の値に応じた所定量の時間だけ遅延させるステップと、
からなる方法。
【請求項１４】
電気的に導電性の物理媒体を介して第２のデータトランシーバからデータ伝送を受信している第１のデータトランシーバにおいて、サイクルの到着を整列させるための方法であって、
前記第１のトランシーバから前記第２のトランシーバへ電気的に導電性の物理媒体を介してサイクル基準を伝送するステップと、
前記サイクル基準を前記第２のトランシーバの受信機から前記第２のトランシーバの遅延回路へ伝送するステップと、
前記遅延回路から前記第２のトランシーバの送信機への前記サイクル基準の伝送を、前記電気的に導電性の物理媒体によって生じる伝搬遅延に少なくとも基づく時間だけ遅延させるステップと、
からなる方法。
【請求項１５】
サイクル遅延信号を前記第１のトランシーバから前記第２のトランシーバへ伝送するステップと、
前記遅延回路から前記第２のトランシーバの送信機への前記サイクル基準の伝送を、前記サイクル遅延信号に少なくとも基づく時間だけ遅延させるステップと、
をさらに含む、請求項１４に記載の方法。
【請求項１６】
前記サイクル遅延信号がＮＲＺＩ方式を用いて伝送される、請求項１５に記載の方法。